(57)【特許請求の範囲】
【請求項１】
撮像素子を有し、該撮像素子を用いて取得される静止画及び動画を示す画像情報を記録媒体に記録可能な電子カメラにおいて、該電子カメラは、
静止画記録モードと動画記録モードを選択可能なモード選択手段と、
前記記録媒体の使用可能な全容量及び前記記録媒体に記録されている画像ファイルごとの記録容量を読み取る読取手段と、
前記読取手段の読み取り結果に基づいて、前記記録媒体の全容量に対する記録済み領域の容量と未使用領域の容量の比率と、前記記録済み領域の容量に対する画像ファイルごとの容量の比率とを示す媒体状態情報を表示する表示手段と、を備え、
画像ファイルごとの静止画または動画の種別が前記媒体状態情報とともに前記表示手段に表示されることを特徴とする電子カメラ。
【請求項２】
請求項１に記載の電子カメラにおいて、前記表示手段は、前記撮像素子で撮像している画像や前記記録媒体から読み出した画像を表示するための表示手段と兼用されていることを特徴とする電子カメラ。
【請求項３】
請求項１又は２に記載の電子カメラにおいて、前記表示手段には、前記媒体状態情報が図を用いて表示されることを特徴とする電子カメラ。
【請求項４】
請求項３に記載の電子カメラにおいて、前記媒体状態情報は、前記記録媒体に格納されている画像ファイルの記録領域が表示されたグラフ図として前記表示手段に表示されることを特徴とする電子カメラ。
【請求項５】
請求項３に記載の電子カメラにおいて、該電子カメラは、
前記表示手段の画面上に表示される前記媒体状態情報を表す図中の位置を指定する位置指定手段と、
前記位置指定手段で指定された位置に従って前記記録媒体から画像情報を抽出する検索手段と、
前記検索手段で抽出した画像情報を前記表示手段に表示させる制御手段と、
を備えていることを特徴とする電子カメラ。
【請求項６】
請求項５に記載の電子カメラにおいて、前記検索手段は、前記位置指定手段で指定された位置が動画ファイルに対応する場合には、当該動画ファイル中前記指定された位置に応じたフレームの画像情報を抽出し得ることを特徴とする電子カメラ。
【請求項７】
請求項６に記載の電子カメラにおいて、該電子カメラは、動画再生モード時に前記検索手段で検知されたフレームの画像から動画再生を開始するように構成されていることを特徴とする電子カメラ。
【請求項８】
請求項１に記載の電子カメラにおいて、該電子カメラは、静止画記録モード時には、静止画の記録可能画像数及び記録済み画像数の少なくとも一方が前記表示手段に表示され、動画記録モード時には、前記記録媒体の残容量に対応する動画記録可能な時間が前記表示手段に表示されることを特徴とする電子カメラ。
【請求項９】
請求項１に記載の電子カメラにおいて、該電子カメラは、前記記録媒体に記録される画像情報の画像ファイルの静止画または動画の種別、該画像ファイルが格納されている記録領域、及びその画像ファイルを特定する各コードを組み合わせた符号列が前記媒体状態情報とともに前記表示手段に表示されることを特徴とする電子カメラ。
【請求項１０】
請求項１に記載の電子カメラにおいて、前記記録媒体として、前記電子カメラ本体に対して着脱自在な外部記録媒体が用いられ、該電子カメラには、複数の記録媒体が装着され、各記録媒体の媒体状態情報が前記表示手段に表示されることを特徴とする電子カメラ。
【請求項１１】
請求項１に記載の電子カメラにおいて、該電子カメラには、前記記録媒体に前記画像情報を格納する際に、当該画像情報が保存されるディレクトリを表すディレクトリ符号とファイルを表すファイル符号を自動付与するファイル管理手段が設けられていることを特徴とする電子カメラ。
【請求項１２】
請求項８に記載の電子カメラにおいて、該電子カメラは、画像データの圧縮率を変更し得る手段を有し、設定されている圧縮率に応じた前記静止画の記録可能画像数が表示されることを特徴とする電子カメラ。
【請求項１３】
請求項４に記載の電子カメラにおいて、該電子カメラは前記記録媒体の記憶領域に前記画像情報を格納する場合、当該画像情報が保存されるディレクトリを表すディレクトリ符号とファイルを表すファイル符号を自動付与するファイル管理手段を有し、
静止画再生時には、前記表示手段の画面上に前記ディレクトリ符号並びにファイル符号を前記媒体状態情報の図と組み合わせて表示するように構成されていることを特徴とする電子カメラ。
【発明の詳細な説明】
【０００１】
【発明の属する技術分野】
本発明は電子カメラに係り、特に撮像素子を用いて動画及び静止画の撮影記録が可能な電子カメラにおける記録時の表示方式並びに再生方式に関する。
【０００２】
【従来の技術】
従来から、動画と静止画を共通のリソース（撮像系、信号処理手段、ＣＰＵ等）によって撮影、記録するカメラが提案されている。例えば、特開平７−７６４７号公報に示されたカメラは、静止画モード、静止画＋音声モード、及び動画モードを有し、選択されたモードに応じてメモリの残量が表示器に数値で表示されるようになっている。
【０００３】
また、特開平９−９３５２９号公報に示されたカメラは、動画のインデックスとして静止画を記録して、この静止画を検索に利用している。
【０００４】
【発明が解決しようとする課題】
しかしながら、上述した特開平７−７６４７号公報のように、メモリ残量を数字で表示するのみでは、ユーザがメモリをどの程度使用しているかを直感的に把握できず、不用意にメモリを動画記録のために使用してしまい、静止画を記録したいときにメモリ残量が不足するという事態を招くおそれがある。
【０００５】
また、特開平９−９３５２９号公報のように、静止画（動画中の代表画像）で動画の検索を行う場合には、動画を構成する複数の静止画との対応が判りにくく、うまく検索できないことがある。
本発明はこのような事情に鑑みてなされたもので、少なくとも動画記録モードにおいて、カメラのユーザが画像記録用のメモリの残量、使用量、残量と使用量の比率を直ちに把握できる電子カメラを提供することを目的とする。また、再生モード時には、記録されている画像データの記録日時や記録時間等を指定することによる表示検索を実現し、所望の画像を容易に検索して再生可能な電子カメラを提供することを目的とする。
【０００６】
【課題を解決するための手段】
本発明は前記目的を達成するために、撮像素子を有し、該撮像素子を用いて取得される静止画及び動画を示す画像情報を記録媒体に記録可能な電子カメラにおいて、該電子カメラは、静止画記録モードと動画記録モードを選択可能なモード選択手段と、前記記録媒体の使用可能な全容量及び前記記録媒体に記録されている画像ファイルごとの記録容量を読み取る読取手段と、前記読取手段の読み取り結果に基づいて、前記記録媒体の全容量に対する記録済み領域の容量と未使用領域の容量の比率と、前記記録済み領域の容量に対する画像ファイルごとの容量の比率とを示す媒体状態情報を表示する表示手段と、を備え、画像ファイルごとの静止画または動画の種別が前記媒体状態情報とともに前記表示手段に表示されることを特徴としている。
【０００７】
前記記録媒体には、半導体メモリのみならず磁気テープ、磁気ディスク、光磁気ディスク等が含まれる。また、この明細書で「容量」という用語は磁気テープの長さなど、メモリ容量に準ずる概念を含むものとして用いている。
本発明によれば、記録媒体の媒体状態を読み取って、全容量に対する残容量と記録済み領域の容量の比を媒体情報表示手段に表示するようにしたので、記録媒体の残量や動画・静止画記録の状態を一目で把握することができる。
【０００８】
前記表示手段に前記媒体状態情報を表示する態様として、グラフ図などの図を用いて表示することが好ましい。
本発明の他の態様によれば、前記媒体状態情報を表す図中の位置を指定する位置指定手段と、前記ポイント指定手段で指定された位置に従って前記記録媒体から画像情報を抽出する検索手段と、前記検索手段で抽出した画像情報を前記表示手段に表示させる制御手段と、を備えていることを特徴としている。かかる態様によれば、再生時に動画、静止画を簡単に検索することができる。
【０００９】
更に、本発明の電子カメラにおいて、複数の記録媒体を装着可能な態様も可能であり、この場合、各記録媒体の媒体状態情報を前記表示手段に表示させる。
これにより、他の記録媒体の使用状況も参照することができる。
【００１０】
【発明の実施の形態】
以下添付図面に従って本発明に係る電子カメラの好ましい実施の形態について詳説する。
図１は本発明が適用されたデジタルカメラの構成を示すブロック図である。このデジタルカメラ１０は、主としてＣＣＤ固体撮像素子（以下、ＣＣＤという）１２、Ａ／Ｄ変換器１４、メモリコントローラ１６、メモリバッファ１８、信号処理部２０、圧縮伸張部２２、カードインターフェース２４、メモリカード２６、Ｄ／Ａ変換器２８、表示用のモニタ装置３０、制御部としての中央処理装置（ＣＰＵ）３２、モード切替スイッチ３４、位置送りスイッチ３６、記録再生切替スイッチ３８、画質モード切替スイッチ４０、及び記録開始スイッチ４２等から構成される。
【００１１】
なお、符号４４で示すようにカードインターフェースを２つ以上有し、複数のメモリカード４６、２６を同時に装着できる構成にしてもよい。この場合、複数のメモリカード２６、４６のうち、必要に応じて、アクディブにするメモリカードを切り替えるためのメディア切替スイッチ４８を設けることが好ましい。
モード切替スイッチ３４は、静止画モードと動画モードとを切り替えるための操作部であって、ユーザが撮影状況に応じてカメラモードを選択する時に操作される。このモード切替スイッチ３４は例えば、図２（ａ）に示すようなダイヤルスイッチ３４Ａで構成され、ダイヤルの上面には静止画モードを示す「Still 」及び動画モードを示す「Move」の文字が形成されている。このダイヤルを回動操作して、所望のモードを表す文字を指標３４Ｂに合わせることによりモードの設定が行われる。
【００１２】
位置送りスイッチ３６は、モニタ装置３０の画面に表れるポインタ（図４の符号５２として記載）の位置を移動させるための操作部であり、静止画再生時のコマ送り・コマ戻し操作にも使用される。位置送りスイッチ３６は、例えば、図２（ｂ）に示すような十字キーで構成される。十字キーは上下、左右の４方向を自由に指定することができる操作キーである。十字キーに代えて、タッチパッド、トラックボール、又はジョイスティックなど他のポインティングデバイスを用いることも可能である。
【００１３】
記録再生切替スイッチ３８は、記録モードと再生モードとを切り替えるための操作部であって、例えば、図２（ｃ）に示すようなスライドスイッチで構成される。ツマミ３８Ａを「REC 」の位置に設定するとＣＣＤ１２で撮像した画像をメモリカード２６（又は４６）に記録する記録モードにセットされ、ツマミ３８Ａを「Play Back 」の位置に設定するとメモリカード２６（又は４６）に格納されている画像データを再生してモニタ装置３０等に出力する再生モードにセットされる。
【００１４】
画質モード切替スイッチ４０は、記録圧縮率を選択するための操作部であって、例えば、図２（ｄ）に示すようなスライドスイッチで構成される。本例のカメラでは、撮影の目的に合わせて「Fine」（高画質）と「Basic 」（標準）の２種類の画質を選択することができる。ツマミ４０Ａを「Fine」の位置に設定すると１／４（ＪＰＥＧ）圧縮となり、ツマミ４０Ａを「Basic 」の位置に設定すると１／１６（ＪＰＥＧ）圧縮となる。なお、選択した画質によって撮影可能画像数（残記録枚数）が変わることになる。
【００１５】
図１に示したデジタルカメラ１０の動作を説明すると、被写体を示す画像光は、図示せぬ撮影レンズを介してＣＣＤ１２の受光面に結像され、ここで画像光の光量に応じた量の信号電荷に変換される。このようにして光電変換された信号電荷は、ＣＰＵ３２で制御されるＣＣＤ駆動回路（不図示）から加えられる駆動パルスに基づいて順次転送され、信号電荷に応じた電圧信号（画像信号）として読み出される。ＣＣＤ１２は前記ＣＣＤ駆動回路から与えられるシャッタゲートパルスによって不要蓄積電荷を排出することができ、これにより電荷蓄積時間を制御するいわゆる電子シャッタ機能を備えている。
【００１６】
ＣＣＤ１２から読み出された信号は、サンプリング／ホールド、色分離、ゲイン調整等の所定の処理が施された後、Ａ／Ｄ変換器１４に加えられ、ここでＲ、Ｇ、Ｂのデジタル画像データに変換される。Ａ／Ｄ変換器１４から出力されたＲ、Ｇ、Ｂのデジタル画像データは、ＣＰＵ３２に従って制御されるメモリコントローラ１６を介してメモリバッファ１８に蓄積される。
【００１７】
メモリバッファ１８に蓄積された画像データはメモリコントローラ１６によって読み出され、信号処理部２０へ供給される。信号処理部２０は、輝度・色差信号変換回路やガンマ補正回路等を含む。信号処理部２０に入力されたＲＧＢデータは、この信号処理部２０において輝度信号（Ｙ信号）及び色差信号（Ｃr,Ｃb 信号）に変換されるとともに、ガンマ補正等の所定の処理が施された後、再びメモリバッファ１８に書き戻される。
【００１８】
メモリバッファ１８に格納された輝度・色差信号（ＹＣ信号と略記する）は、メモリコントローラ１６によって読み出され圧縮伸張部２２に供給される。そして、前記ＹＣ信号は圧縮伸張部２２においてＪＰＥＧ(joint photographic expert group) 形式その他の所定の形式に従って圧縮された後、インターフェース２４（又は４４）を介してメモリカード２６（又は４６）に記録される。圧縮伸張部は、静止画記録及び動画記録の両方で使用される。静止画はＪＰＥＧファイル、動画はMotionJPEGファイル( 通称AVI ファイル) として記録される。なお、記録媒体の形態は、メモリカードに限らず、ＰＣカード、磁気ディスク、光磁気ディスク、メモリスティックなど種々の形態が可能である。
また、前記バッファメモリ１８に格納されたＹＣ信号は、メモリコントローラ１６によって読み出された後、Ｄ／Ａ変換器２８によってアナログ信号に変換された後にＮＴＳＣ（National Television System Committee）方式その他の所定の映像信号に変換されモニタ装置３０に供給される。これにより、被写体の画像がリアルタイムに、又はリアルタイムではないが、ほぼ連続した動画としてモニタ装置３０に表示される。したがって、モニタ装置３０の画面を見ながら被写体の構図等を決めることができる。
【００１９】
また、再生モード時には、メモリカード２６（又は４６）から読み出された画像データが圧縮伸張部２２によって伸張処理され、Ｄ／Ａ変換器２８を介してモニタ装置３０に出力される。なお、モニタ装置３０には撮影画像や再生画像の他に、メモリカード２６（又は４６）の使用状態を示す表示や、撮影可能画像数、再生画像のコマ番号、カメラ電池の残量等のカメラ機能に関連する情報も表示される。
【００２０】
上記の如く構成されたデジタルカメラを用いた撮影・記録のシーケンスを説明する。先ず、モード切替スイッチ３４、記録再生切替スイッチ３８及び画質モード切替スイッチ４０の各スイッチ状態にしたがって静止画モード又は動画モードのモード設定、状態記録モードの設定、及び画質モードの設定を行う。
そして、カードインターフェース２４、４４に装着されているメモリカード２６、４６の全容量と各メモリーカード２６、４６の記録状態を読み取り、カードの残量その他のメモリカード使用状況に関する情報をモニタ装置３０上に表示する。
【００２１】
デジタルカメラ１０が静止画の記録モードに設定されているときは、記録開始スイッチ４２のＯＮ操作に応動してＣＣＤ１２を介して被写体を撮像し、得られた画像信号をＡ／Ｄ変換してＲ、Ｇ、Ｂデータとしてメモリバッファ１８に蓄積する。メモリバッファ１８から画像データの読み出しを行って信号処理部２０において所定の処理を施した後、圧縮伸張部２２で画質モードの設定に応じた圧縮率で圧縮されメモリバッファ１８に書き戻される。そして、この圧縮処理された画像データがメモリカード２６（又は４６）に記録されることになる。
【００２２】
他方、デジタルカメラ１０が動画の記録モードに設定されている時は、前述した静止画の記録シーケンスを一定周期毎に繰り返すことによって動画を記録する。なお、「メモリバッファ読み出し」→「信号処理」→「圧縮」→「メモリバッファに書き戻し」という一連の動作は並列に実行される。
図３はメモリカード（記録媒体）の内部のデータ構造を示す概念図である。
【００２３】
図３（ａ）に示すように、メモリカード２６の記憶領域は階層構造を有し、ルートディレクトリ（Root) の下層にイメージディレクトリ（IMAGE)が設けられ、該イメージディレクトリの中に撮影日付ごとにディレクトリが作成される。図３（ａ）ではイメージディレクトリ（IMAGE)の下に「99Jan03-01」、「99Jan03-02」と命名されたディレクトリが設けられている。
【００２４】
ディレクトリ作成は、撮影動作が開始された日付に合致したディレクトリが存在しているか否かを自動判別し、同一日付を示すディレクトリが無い場合に新たなフォルダが自動的に新規作成される。また、ユーザが図示せぬディレクトリ作成ボタンを操作するなど、所定の操作を行うことによってディレクトリが新規作成される。
【００２５】
各ディレクトリには作成される順番に従ってディレクトリ番号が２桁の数字列で自動的に付与される。図３（ａ）において、「99Jan03-01」、「99Jan03-02」の末尾の2 桁の数字列がディレクトリ番号に相当する。
各ディレクトリ「99Jan03-01」、「99Jan03-02」には、動画や静止画の画像ファイルが記録順に２桁のファイル番号が自動付与されて格納されている。動画のファイル名は「DSC 」の次に動画(Move)であることを示す「M 」が付加され、この「M 」に続けて記録順に自動付与されるファイル番号（２桁）と、モーションＪＰＥＧ画像（ＡＶＩ）ファイルであることを示す拡張子「.AVI」が付加される。静止画のファイル名は「DSC 」の次に静止画(Still) であることを示す「S 」が付加され、この「S 」に続けて記録順に自動付与されるファイル番号（２桁）と、ＪＰＥＧ画像ファイルであることを示す拡張子「.JPG」が付加される。このようなファイル名の命名によって画像ファイルの種別を把握できる。
【００２６】
動画ファイルは、図３（ｂ）に示すように、ヘッダに続いて動画の各フレームを形成する静止画と、それぞれに対応する音声データがインターリーブされて記録されている。なお、本例とは別に音声ファイルが独立して記録されていてもよい。音声データは図示せぬマイクロフォンからの信号をＡ／Ｄ変換することによって取得される。
【００２７】
動画ファイルのヘッダには同図（ｃ）に示すように、データ種別を示す情報、記録レート、フレーム数、及び静止画データのヘッダ情報等が含まれている。また、各フレームを形成する静止画のデータは同図（ｄ）に示すように、ヘッダ、圧縮パラメータ、及び圧縮データからなる。
静止画ファイルは図３（ｅ）に示すように、ヘッダ、圧縮パラメータ、及び圧縮データからなる。
【００２８】
図４には動画記録時におけるモニタ装置３０の表示画面の一例が示されている。モード切替スイッチ３４を「Move」に設定し、記録再生切替スイッチ３８を「REC 」に設定することによって、動画記録が可能なモードにセットされる。以下の説明において画質モードは「Fine」に設定されているものとする。
動画記録時には、モニタ装置３０の画面左上にメモリカード２６の使用状態を表すメモリ状態表示部５０が表示される。この表示部は、メモリカード２６の使用状態を円グラフによって表したものであり、メモリカード２６の全容量に対して、既に記録済みの容量と、未使用の容量（残容量）を視覚的に容易に把握可能な形態で提示する。なお、円グラフに代えて、棒グラフその他のグラフ図、又はこれに準じた図形でもよい。
【００２９】
円グラフには時計回り方向に沿って画像の記録順に画像ファイルの記録領域がファイルサイズに対応した扇形領域によって示されている。また、記録されている画像ファイルを特定できるように、記録済みの領域には各画像ファイルが格納されているディレクトリを示す代表的な文字列（文字、数字またはこれらの組み合わせからなる符号列を本明細書では単に文字列という）と画像ファイルを示す代表的な文字列が表示される。
【００３０】
本例では、文字列の先頭の「Ｍ」は動画であることを示し、「Ｓ」は静止画であることを示す。そして、「Ｍ」又は「Ｓ」の文字に続いて数字列「ＮＮ−ＭＭ」とした場合の「ＮＮ」は格納ディレクトリを示し、「ＭＭ」はファイル番号を示す。また、数字列「ＡＡ＊ＭＭ」とした場合は静止画がファイル番号ＡＡからＭＭまで記録されていることを示している。
【００３１】
例えば、図中の「Ｍ１−０１」は、ディレクトリ番号１の動画ファイルでファイル番号０１の画像ファイル、すなわち図３で説明した「99Jan03-01」下の「DSCM01.AVI」を表すものである。また、図４中の「Ｓ１−０３＊５７」は、ディレクトリ番号１の静止画ファイルであって、ファイル番号０３から５７までの静止画ファイル１の画像ファイル、すなわち図３に示した「99Jan03-01」下の「DSCS03.JPG」ないし「DSCS57.JPG」を表すものである。
【００３２】
図４に示した円グラフによれば「Ｍ２−０２」（図３の「99May21-02」下の「DSCM02.AVI」）以降は未使用領域となっている。未使用領域には「未使用」という文字が表示される。そして、この未使用領域と「Ｍ２−０２」の境界位置にポインタ（矢印）５２が表示される。また、現在設定されている画質モード（Fine）における動画記録可能時間（残記録時間）が時分秒の値で表示される。図４では１１：２４と表示されており、残記録時間が１１分２４秒であることを表している。
【００３３】
この動画記録モードにおいて状態で動画の記録を実行すると、一つの動画ファイル（一単位）がメモリカード２６に記録されるにつれてポインタ５２が円グラフの円周上を移動して、記録箇所を指し示すようになっている。
図５には静止画記録時におけるモニタ装置３０の表示画面の一例が示されている。モード切替スイッチ３４を「Still 」に設定し、記録再生切替スイッチ３８を「REC 」に設定することによって、静止画記録が可能なモードにセットされる。
【００３４】
静止画記録時には、モニタ装置３０の画面左上に図５のような、メモリ状態表示部５０が表示される。メモリカード２６の全体の記録済み領域、並びに未記録容量とともに、メモリカード２６の全容量に対する記録位置がポインタ５２によって表示される。また、残量は現在設定されている画質モードで記録可能な静止画の記録可能画像数（以下、フイルム写真カメラに倣って残枚数という。図では「５６」と表示されており、「Fine」において更に５６枚の画像記録可能であることを示している。もちろん、画質モードを変更した場合には、その画質モードに応じた残枚数が表示されることになる。また、記録済みの静止画枚数を別途表示させてもよい。
【００３５】
図６には動画再生時におけるモニタ装置３０の表示画面の一例が示されている。モード切替スイッチ３４を「Move」に設定し、記録再生切替スイッチ３８を「Play Back 」に設定することによって、動画再生が可能なモードにセットされる。この時、モニタ装置３０の画面上には図６のようにメモリ状態表示部５０と再生位置を指定するポインタ５２（この場合、再生位置ポインタを意味する) が表示される。位置送りスイッチ３６の操作により、ポインタ５２が円グラフの円周上を移動する。このとき、ポインタ５２の近くに記録時間（先頭からの分：秒）が数値表示される。
【００３６】
そして、ユーザがポインタ５２によって位置を特定して図示せぬ実行ボタンを押すと、当該ポインタ５２が指し示す位置に対応する画像ファイルから動画再生が開始される。なお、動画ファイルの途中のフレーム位置から再生を開始することができる。
また、動画再生中に前記ポインタ５２は再生動作の進行とともに円グラフの円周上を時計回りに移動して再生中の位置を知らせる。再生動作中にユーザが位置送りスイッチ３６を操作することによってポインタ５２を円グラフの円周に沿って反時計回り移動させると逆転再生がなされ、再生動作中にポインタ５２を円グラフの円周に沿って時計回り移動させると早送りスキップ再生がなされる。また、位置送りスイッチ３６を使ってポインタ５２の動きを調整することによって、コマ送りやコマ戻し、スロー再生、一時停止などが可能である。
【００３７】
再生時においてはメモリカード２６の未使用領域を表示する意義に乏しいとも考えられるので、再生モードに設定されている場合には、静止画・動画を問わず、メモリ状態表示部５０において未記録領域を表示せずに、記録済みの領域を１００％とする円グラフによって記録済みのファイルのサイズと格納位置を表示するようにしてもよい。
【００３８】
静止画再生時の表示画面の例は図示しないが、図６で説明した動画再生時と同様のメモリ状態表示部５０がモニタ装置３０の画面に表示される。ただし、静止画再生モードの場合は、メモリカードに格納されている各画像ファイルのうち、静止画を示す「.JPG」を備えるファイルのみを対象として、順次再生が行われる。この場合、静止画再生の再生位置を指定方法として、円グラフ上の位置をポインタ５０で指定する代わりに、位置送りスイッチ３６を順次押すことによって、静止画の画像ファイルのみが順にコマ送り又はコマ戻しされて再生される。
【００３９】
図７には複数のメモリカードを装着した場合の動画再生時の表示画面の一例が示されている。同図ではデジタルカメラ１０に２枚のメモリカード２６、４６が装着されている場合の例が示されている。２枚のメモリカード２６をデジルカメラ１０に装着すると各メモリカード２６、４６の使用状況を示すメモリ状態表示部６０、６２がモニタ装置３０の画面に表示される。
【００４０】
メディア切替スイッチ４８でアクティブにするメモリカード（例えば、符号４６）を指定すると、選択した一方のメモリカードのメモリ状態表示部６２を示すインデックス（図７中「メディア２」の文字部分）が太線で囲み表示されるとともに、円グラフ上にポインタ５２が表れ、残記録時間の表示が重ね表示される。
なお、通常は、アクティブにしているメモリカードのメモリ状態表示部のみをモニタ装置３０に表示して、必要に応じてユーザの所定操作に基づいて他方のメモリカードの状態を参照できるようにしてもよい。
【００４１】
図８はメモリ状態表示部（５０、６０、６２）の表示を実現するためのメディア容量算出の手順を示すフローチャトである。
先ず、ステップＳ８００でメモリカード全体の容量（Ｍ）を検知する。メモリカードの容量その他の仕様データが格納されている情報格納部から必要な情報を読み取るなど所定の方法によって、この全容量値（Ｍ）を得る。
【００４２】
次いで、ステップＳＳ８０２に進み、当該メモリカードにおいて記録済みの容量（Ｎ）を検知する。そして、ステップＳ８００とステップＳ８０２で得たＭ、Ｎから、使用済みメモリ占有比、並びに未使用メモリ占有比を算出する（ステップＳ８０４）。使用済みメモリの占有比はＮ／Ｍを計算することによって得られ、未使用メモリ占有比は（Ｍ−Ｎ）／Ｍを計算することによって得られる。
【００４３】
かかる算出結果に基づいて、円グラフの表示や、残記録時間、残枚数等の表示に必要な表示パラメータが算出され（ステップＳ８０６）、得られた表示パラメータに従って、円グラフ等の表示が行われる（ステップＳ８０８）。
その後、撮像によって新たな画像ファイルの記録処理が行われると（ステップＳ８１０）、前記ステップＳ８０２に戻り、上述した手順にしたがって表示内容を更新する。本例のデジタルカメラ１０の場合、上述の算出等を行う演算手段はＣＰＵ３２が担う。
【００４４】
上記実施の形態では、動画の記録形式として、各画面の画像を独立したＪＰＥＧ画像として羅列するモーションＪＰＥＧを例に説明したが、動画記録形式はこれに限定するものではなく、ＭＰＥＧ（Moving Pictures Experts Group ）方式その他のフォーマット形式でもよい。
上記実施の形態では、記録媒体として着脱自在なメモリカードを用いたが、記録媒体としてデジタルカメラ１０に内蔵される内部メモリとする構成も可能である。この場合、撮像によって得られた画像データは有線又は無線の通信手段を用いて外部に出力される。
【００４５】
【発明の効果】
以上説明したように本発明によれば、記録媒体の媒体状態を読み取って、全容量に対する残容量と記録済み領域の容量の比を媒体情報表示手段に表示するようにしたので、記録媒体の残量や動画・静止画記録の状態を一目で把握することができる。これにより、動画をうっかり長時間記録してしまい必要な残量用が不足するなどの事態を防止できる。
【００４６】
また、本発明の他の態様によれば、再生時に媒体状態表示部の位置を指定することにより、簡単に動画、静止画を検索することができる。さらに、複数の記録媒体を使用する場合にも、各記録媒体の使用状況を容易に把握することができる。
【図面の簡単な説明】
【図１】本発明が適用されたデジタルカメラの構成を示すブロック図
【図２】図１に示したデジタルカメラの操作部の形態例を示す図
【図３】メモリカード（記録媒体）内部のデータ構造を示す概念図
【図４】動画記録時におけるモニタ装置の表示画面の一例を示す図
【図５】静止画記録時におけるモニタ装置の表示画面の一例を示す図
【図６】動画再生時におけるモニタ装置の表示画面の一例を示す図
【図７】複数のメモリカードを装着した場合の動画再生時の表示画面の一例を示す図
【図８】メモリ状態表示部の表示を実現するためのメディア容量算出の手順を示すフローチャト
【符号の説明】
１０…デジタルカメラ（電子カメラ）、１２…ＣＣＤ（撮像素子）、２６、４６…メモリカード（記録媒体）、３０…モニタ装置（表示手段）、３２…ＣＰＵ（制御手段、検索手段、ファイル管理手段）、３４…モード切替スイッチ（モード選択手段）、３６…位置送りスイッチ（位置指定手段）、３８…記録再生切替スイッチ（モード選択手段）、４０…画質モード切替スイッチ（圧縮率を変更し得る手段）、５０…メモリ状態表示部（媒体状態情報）、５２…ポインタ（位置指定手段）
【図１】
0004328903.tif 000002
【図２】
0004328903.tif 000003
【図３】
0004328903.tif 000004
【図４】
0004328903.tif 000005
【図５】
0004328903.tif 000006
【図６】
0004328903.tif 000007
【図７】
0004328903.tif 000008
【図８】
0004328903.tif 000009